(57)【特許請求の範囲】
【請求項１】
大気を本体内に吸引する吸気口と、吸引した空気を大気へ放出する排気口と、吸引作用を有する電動送風機と、前記吸引した空気から塵埃および／または臭いを取り除くフィルターと、光電子放出材と照射源から構成され該光電子放出材に照射源からの紫外線を照射することで光電子を発生するマイナスイオン発生部を備え、前記電動送風機のトング部に沿って、マイナスイオン発生部の気流取入れ口を設け、前記排気口部近傍に、前記光電子を本体内から大気に放出するマイナスイオン放出口を設けた空気調和機。
【請求項２】
マイナスイオン発生部を、気流の流れ方向に対し傾斜させて配設した請求項１記載の空気調和機。
【請求項３】
マイナスイオン発生部を、電動送風機の下流側で排気口に近い吹出し風側に配置した請求項１記載の空気調和機。
【請求項４】
マイナスイオン発生部の周囲を覆う保護カバーを設け、マイナスイオン発生部の前部及び／又は後部に庇を設けた請求項１〜３のいずれか１項に記載の空気調和機。
【請求項５】
マイナスイオン発生部を、本体に形成したリブ体にて本体の取付け面より浮かして取付けた請求項１〜３のいずれか１項に記載の空気調和機。
【発明の詳細な説明】
【０００１】
【発明の属する技術分野】
本発明は、室内の汚れた空気、臭い空気を吸い込み、浄化、脱臭し、再度室内に循環させる空気調和機に関するものである。
【０００２】
【従来の技術】
従来のこの種の空気調和機は、図２４〜図２６に示すように構成していた。以下、その構成について説明する。
【０００３】
図２４〜図２６に示すように、空気調和機本体１は、吸気口２と排気口３を有し、内部に隔壁４を設け、この隔壁４の後部に渦室５を設けている。この渦室５は、モータ６とファン７からなる電動送風機を囲み、排気口３へ向けて開口している。隔壁４の前面に吸い込み口８とリブ９を設けており、リブ９はその前面に配置した脱臭用の活性炭フィルターと集塵用の帯電フィルターを合わせたフィルター１０を支持している。吸い込み口８は空気調和機本体１内の電動送風機と連通している。切り替えスイッチ部１１は、内部に制御回路部を有し、この切り替えスイッチ部１１により運転操作することが出来る。１２は、高電圧発生装置１３と放電電極１４と接地電極１５から成るマイナスイオン発生装置である。
【０００４】
上記構成において、切り替えスイッチ部１１により電動送風機を回転させると、吸気口２より室内の空気が吸い込まれる。吸引された気流はフィルター１０を通り、空気が浄化、脱臭されて排気口３から排気される。また放電電極１４と接地電極１５の間に発生する放電によってマイナスイオンが発生し、排気口３から排気される気流にのって室内に拡散、放出されるようになっていた。
【０００５】
【発明が解決しようとする課題】
しかしながら上記従来のマイナスイオン発生装置では、放電によってマイナスイオンを発生させるため、高電圧発生装置１３が必要となりこれが高価でコストがかかる物であった。また、高電圧の電気を用いるため安全性に問題があり、また同時に発生するオゾンによる安全性の問題があった。空気中に多量のオゾンが存在すると健康上はなはだ有害であり、オゾン量が１０ｐｐｍを越えると各種の障害が人体に生じる。したがって、空気浄化の為に静電的集塵法をとる場合などは、オゾン量が一定限度、好ましくは、５ｐｐｍ前後に維持されることが望まれる。
【０００６】
つまり従来、マイナスイオンを発生せしめる方法としては、電極にコロナ放電によるマイナスの高電圧を印加する方法が知られているが、この方法は高電圧の電気を用いるので高価であり、オゾン量が一定限度に維持されないという問題があった。
【０００７】
一方、現在、生体の代謝機能や生理機能を衰えさせない快適でより自然界に近い室内空間が要求されている。例えば、半導体分野では＋の静電気の発生の恐れのない作業空間が要求され、過剰な陽イオンは中和されている。現状の室内空間においては陽（プラス）、陰（マイナス）イオンが存在するが、生活内容や自然現象等により陽（プラス）イオンが過剰となる場合が多かった。
【０００８】
即ち、
１.密閉された室内では陰（マイナス）イオンが極端に減少する。
２.気流により通常の浮遊微粒子は正（プラス）に帯電する。
３.室内ではテレビ等の高圧電源による空間放電や人が動く際の分子摩擦等で正（プラス）に帯電した微粒子や空気分子が多い。
【０００９】
この様な雰囲気では、生体は新陳代謝を悪くし、生理機能の衰えの原因となる欠点があった。
【００１０】
すなわち、生体内、例えば人体を例にとれば陰（マイナス）イオンが減少すれば体調に変化を生ずると言われる。
【００１１】
人体は無数の細胞から形成されており、個々の細胞は細胞膜で包まれていて、細胞はその膜を通して栄養分を吸収したり、老廃物を排出したりして活動を行っている。この細胞は外側が陽（プラス）イオン、内側が陰（マイナス）イオン性を帯び、陰（マイナス）イオンが減少し陽（プラス）イオンが過剰となると、栄養分の吸収や老廃物の排出が困難となる現象が起き、新陳代謝を悪くし、生理機能の衰えの原因となると言われる。
【００１２】
本発明は、室内の汚れた空気、臭い空気を吸い込み、浄化、脱臭し、再度室内に循環させると共に、安全性および低コスト化を推進し、室内空間にオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することを目的とする。
【課題を解決するための手段】
上記課題を解決するために本発明は、大気を本体内に吸引する吸気口と、吸引した空気を大気へ放出する排気口と、吸引作用を有する電動送風機と、前記吸引した空気から塵埃および／または臭いを取り除くフィルターと、光電子放出材と照射源から構成され該光電子放出材に照射源からの紫外線を照射することで光電子を発生するマイナスイオン発生部を備え、前記電動送風機のトング部に沿って、マイナスイオン発生部の気流取入れ口を設け、前記排気口部近傍に、前記光電子を本体内から大気に放出するマイナスイオン放出口を設けた空気調和機である。
【００１３】
上記発明によれば、光電子放出材に照射源からの紫外線を照射することによりオゾンレスの陰（マイナス）イオンが生成され、前記マイナスイオンはマイナスイオン放出口から大気中に放出される。一方、吸気口から吸引された気流は、フィルターを通り、脱臭、浄化され排気口を経て室内に排気される。また電動送風機からの気流が最も多く衝突するトング部に沿ってマイナスイオン発生部の気流取入れ口を設けているため、気流がトング形状に沿ってスムーズにマイナスイオン発生部の気流取入れ口に流れ込むことが出来、多数のマイナスイオンの発生と放出を行うことが出来る。さらにマイナスイオン放出口を排気口部近傍に設けたことで、前記排気口を経て室内に排気される気流に乗せてマイナスイオンを部屋全体に拡散することが出来、マイナスイオンを発生させて微粒子等を電気的に中和もしくは負の電荷を帯びさせ安定な室内空間を提供することが出来る。
【００１４】
【発明の実施の形態】
本発明の請求項１記載の発明は、大気を本体内に吸引する吸気口と、吸引した空気を大気へ放出する排気口と、吸引作用を有する電動送風機と、前記吸引した空気から塵埃および／または臭いを取り除くフィルターと、光電子放出材と照射源から構成され該光電子放出材に照射源からの紫外線を照射することで光電子を発生するマイナスイオン発生部を備え、前記電動送風機のトング部に沿って、マイナスイオン発生部の気流取入れ口を設け、前記排気口部近傍に、前記光電子を本体内から大気に放出するマイナスイオン放出口を設けた空気調和機である。
【００１５】
上記発明によれば、光電子放出材に照射源からの紫外線を照射することによりオゾンレスの陰（マイナス）イオンが生成され、前記マイナスイオンはマイナスイオン放出口から大気中に放出される。一方、吸気口から吸引された気流は、フィルターを通り、脱臭、浄化され排気口を経て室内に排気される。また電動送風機からの気流が最も多く衝突するトング部に沿ってマイナスイオン発生部の気流取入れ口を設けているため、気流がトング形状に沿ってスムーズにマイナスイオン発生部の気流取入れ口に流れ込むことが出来、多数のマイナスイオンの発生と放出を行うことが出来る。さらにマイナスイオン放出口を排気口部近傍に設けたことで、前記排気口を経て室内に排気される気流に乗せてマイナスイオンを部屋全体に拡散することが出来、マイナスイオンを発生させて微粒子等を電気的に中和もしくは負の電荷を帯びさせ安定な室内空間を提供することが出来る。
【００１６】
本発明の請求項２記載の発明は、マイナスイオン発生部を気流の流れ方向に対し傾斜させて配設したものである。
【００１７】
そして、上記発明によれば、照射源から照射される紫外線が排気口から本体の外部に漏れるのを防止することができる。
【００１８】
本発明の請求項３記載の発明は、マイナスイオン発生部を電動送風機の下流側で排気口に近い吹出し風側に配置したものである。
【００１９】
そして、上記発明によれば、マイナスイオン発生部で多数発生したマイナスイオンは、本体壁面や構造物に衝突して減少する傾向にあるが、マイナスイオン発生部をフィルターや電動送風機の無い電動送風機の下流側で排気口に近い吹出し風側に配置することにより、マイナスイオンの減少を最大限に抑えることが出来、排気口からより多くの数のマイナスイオンを放出することが出来る。
【００２０】
本発明の請求項４記載の発明は、マイナスイオン発生部の周囲を覆う保護カバーを設け、マイナスイオン発生部の前部及び／又は後部に庇を設けたものである。
【００２１】
そして、上記発明によれば、照射源から照射される紫外線が本体外部に漏れるのを防止すると共に、マイナスイオン発生部への気流のガイドとなる気流取入れ口やマイナスイオン放出口までの流路を形成させることができ、マイナスイオン放出口や排気口から覗き込んでも照射源を直視するのを庇にて防止することが出来、マイナスイオン放出口近傍の他の部品への紫外線照射を防止すると共に庇で外部からの水侵入時にもマイナスイオン発生部に水がかからないようにすることが出来る。
【００２２】
本発明の請求項５記載の発明は、マイナスイオン発生部を、本体に形成したリブ体にて本体の取付け面より浮かして取付けたものである。
【００２３】
そして、上記発明によれば、マイナスイオン放出口や排気口から誤って水が入ってきた場合でも侵入してきた水をリブ体で浮かした隙間に流し、マイナスイオン発生部に水が侵入するのを防止することが出来る。またマイナスイオン発生部内での照射源の発熱が本体の取付け面に伝搬するのを防止することが出来る。
【００２４】
【実施例】
以下、本発明の実施例について図面を用いて説明する。
【００２５】
（実施例１）
図１は本発明の実施例１の空気調和機を示す側面の断面図である。
【００２６】
図１〜図１５において、本体前面を成すフロントグリル２０、中間部を成す本体隔壁２１、後部を成しさげて部２２を有する本体後２３、本体上面を成す本体上２４で本体を形成し、本体前面のフロントグリル２０には凹状の中央部２０ａに前面吸気口２５が設けられている。前記前面吸気口２５は、本体の中心より左右両側に向けてくい切りの開口部２５ａが形成されている。また、本体後２３の左右両側にも本体後方に向けて開口する後面吸気口２６が形成されている。２７は、本体隔壁２１と本体後２３との間に形成された渦室で、内部にはモータ２８に連結されたファン２９を有して電動送風機を構成している。本体隔壁２１の前面には吸い込み口３０とリブ３１が設けられており、リブ３１は、その前面に配置した脱臭用の活性炭フィルターと集塵用の帯電フィルターを合わせたフィルター３２を支持している。
【００２７】
また前記吸い込み口３０はモータ２８及びファン２９から構成される電動送風機と連通している。３３は、本体後２３の上方に形成された排気口で、本体隔壁２１と本体後２３との間に形成された渦室２７へと連通している。フロントグリル２０を取り外した内側には、本体前３４が本体の前面上方に配設され、前面に表示部３５、切り替えスイッチ３６、ランプ表示部３７、及び空気中の臭いを検知する臭い検知センサ３８、空気中の塵埃の多少を検知する粒子検知センサ３９の各々が配置されている。本体前４の内部には制御回路４０と上記各センサを有し、運転操作は、上記切り替えスイッチ３６により操作することができる。本体上２４は、本体隔壁２１上部で本体前３４と本体後２３によって挟み込まれ、マイナスイオン放出口４１を有している。
【００２８】
上記フロントグリル２０は、下部に形成した引っ掛け部４２を本体隔壁２１の下方に形成した嵌合穴４３に挿入し、次にフロントグリル２０上部左右の両側に設けた爪４４を本体前３４の左右の両側に設けた係合部４４ａに係合することにより着脱自在に取り付けている。４５は、本体隔壁２１の下部に一体に形成された台座部である。
【００２９】
４６は、マイナスイオン発生部ユニットで内部に光電子放出材４７とその光電子放出材４７に紫外線を照射する照射源４８とから成るマイナスイオン発生部４９を有する。マイナスイオン発生部４９は、光電子放出材４７、該光電子放出材４７への紫外線の照射源４８より構成され、光電子放出材４７は、光電子放出材４７の表面に、紫外線を照射しながら、該光電子放出材４７の表面に気流を導入して該光電子放出材４７の表面に光電子（マイナスイオン６６）を発生させるものである。紫外線を照射する照射源４８としては紫外線ランプ５０を用い、内部にフィラメント及び水銀の球体を有するランプ部５１と磁器（陶器）製のソケット５２に取付けるためのねじ形状を成した口金部５３とから成る。
【００３０】
また紫外線を照射する照射源４８は、制御回路４０に接続されており照射源の照射をＯＮ−ＯＦＦ間欠させてり、照射源の紫外線照射強度を可変したり、あるいは上記照射源のＯＮ−ＯＦＦ間欠や紫外線照射強度の可変をマイナスイオン吹出口４１部に設けられたイオン検知センサ６８の検知した値に応動して行わせる等の制御が行われている。
【００３１】
光電子放出材４７は、円筒状の金属の材料、ここではりん青銅から成り、前記円筒状の内面を含む全体にＡｕ（金）の表層を有する表面処理が施されている。ここではＡｕ（金）メッキが施されているが、Ａｕ（金）蒸着でもよい。そして、円筒状に曲げ加工を行う前の板材に前記Ａｕ（金）メッキの表面処理を施したものである。また光電子放出材４７には、端子接続部５４が一体に形成されており、制御回路４０へ導通した端子５５が接続されている。紫外線ランプ５０を取付けたソケット５２は、板金で形成された固定台５６にねじ締め固定され、さらに固定台５６は保護カバー下５７にねじ締め固定されている。また光電子放出材４７は、保護カバー下５７を貫通した本体隔壁２１のボスに絶縁シート５８を挟んでねじ締め固定されている。保護カバー上５９は、保護カバー下５７を上方から覆うように取り付けられており、紫外線ランプ５０から照射される紫外線が外部に漏れないようにすると共に気流が通る通路を形成しており、マイナスイオン発生部４９への気流のガイドとなる気流取入れ口６０やマイナスイオン放出口４１までの流路を形成している。また円筒状の光電子放出材４７の外周で保護カバー上５９と保護カバー下５７との間には、パッキン６１が取り付けられており、気流が通る通路は円筒状の光電子放出材４７の内面だけと成るようエアータイトされている。マイナスイオン発生部ユニット４６は、本体隔壁２１の取付け面よりリブ体６２にて壁面より浮かして取付けられ、また本体隔壁２１の壁面に対し傾斜（約２５°）して配設されているため、マイナスイオン発生部４９は気流に対し傾斜して配設されたことと成る。
【００３２】
またマイナスイオン発生部ユニット４６の気流取入れ口６０は、トング部６３の形状に沿って設けられている。６４は、保護カバー上５９に形成された庇Ａで、マイナスイオン放出口４１や排気口３３から覗き込んでも照射源４８を直視するのを防止している。また、マイナスイオン放出口４１近傍の他の部品への紫外線照射を防止すると共に外部からの水侵入時にもマイナスイオン発生部４９に水がかからないようにしている。
【００３３】
６５は、保護カバー下５７に形成された庇Ｂで、庇Ａ６４と同様に照射源４８の直視防止、他の部品への紫外線照射防止、及び外部からの水侵入時にもマイナスイオン発生部４９に水がかからないようにリブ体６２にて壁面より浮かした隙間に水を送り込むガイドの役目もさせている。庇Ａ６４、庇Ｂ６５は、マイナスイオン発生部４９の後部に設けているが、前部または両方に設けても同様の効果が得られる。
【００３４】
上記構成において、動作を説明すると、切り替えスイッチ３６によりモータ２８を回転させると、同モータ２８に連結されたファン２９が回転し、前面吸気口２５と後面吸気口２６より空気が吸い込まれる。吸引された気流は活性炭フィルターと帯電フィルターを合わせたフィルター３２を通り、排気口３３へと排気されて空気が脱臭、浄化されていく。
【００３５】
また自動運転では、室内の空気の汚れに応じて各々のセンサが検知を行う。ほこり等を粒子検知センサ３９が検知し、タバコ煙等の臭いを臭い検知センサ３８が検知し、各々の濃度によって変化する各センサの出力に応じて制御回路４０がモータ２８を制御して運転を行う。
【００３６】
そして、フィルター３２を通り、排気口３３へと排気される空気は、トング部６３の形状に沿って設けられたマイナスイオン発生部ユニット４６の気流取入れ口６０より排気の一部が流れ込みマイナスイオン発生部４９へと流入する。マイナスイオン発生部４９へと流入した気流は、マイナスイオン６６が生成される。即ち、光電子放出材４７に、紫外線ランプ８からの紫外線を照射することにより光電子（マイナスイオン）６６が得られる。このようにして、得られたマイナスイオン６６を含んだ気流は、マイナスイオン放出口４１より放出される。この時、排気口３３を経て室内に排気されるこの気流に乗せてマイナスイオン６６は部屋内全体に拡散される。
【００３７】
そして、上記によれば光電子放出材４７に照射源４８からの紫外線を照射することにより気流中にマイナスイオン６６が生成され、マイナスイオン６６を含有する空気が得られ、一方前面吸気口２５と後面吸気口２６の吸気口から吸引された気流はフィルター３２を通り、脱臭、浄化され排気口３３を経て室内に排気される。この気流に乗せてマイナスイオン６６は部屋内全体に拡散する、マイナスイオン６６を発生させて微粒子等を電気的に中和もしくは負の電荷を帯びさせ安定な室内空間を提供することが出来る。
【００３８】
またここで、マイナスイオン放出口４１を排気口３３の近傍に設けているため、排気口３３からの気流に乗せてマイナスイオン放出口４１から放出されるマイナスイオン６６を部屋全体に効果的に拡散、放出することが出来る。
【００３９】
また、モータ２８、ファン２９から成る電動送風機からの気流の一部をマイナスイオン発生部４９内に通しているため、マイナスイオン発生部４９内に気流を通すための専用のモータ、ファン等から成る電動送風機を別に必要とせず、本体からの気流を利用して、マイナスイオン６６を発生、放出させることが出来、構成が簡単で安価に提供できる。
【００４０】
そして、モータ２８、ファン２９から成る電動送風機からの気流の一部をマイナスイオン発生部４９内に通す量としては、電動送風機からの気流の０．５％から１５％を通すのが適しており、好ましくは０．５％から５％を通すのが適している。また風量値では、０．０５ｍ3／分から１．０ｍ3／分を通すのが適しており、好ましくは０．０５ｍ3／分から０．２ｍ3／分の風量を通すのが適している。マイナスイオン発生部４９内に通す気流の量が増えればマイナスイオン６６の発生量を増加させることが出来るが、その分空気調和機本体の気流の圧損となるため、空気調和機本体の吸排気量が低下し、室内空気の脱臭、浄化性能が低下ばかりか、マイナスイオン６６の発生量を増加させたとしても室内への拡散、放出の低下を招くこととなる。マイナスイオン６６の発生量を増加させて室内空気の脱臭、浄化性能を多少犠牲にした場合、気流の０．５％から１５％あるいは０．０５ｍ3／分から１．０ｍ3／分の風量を通すのが適しているが、０．５％から５％あるいは０．０５ｍ3／分から０．２ｍ3／分の風量を通して気流の圧損にならず、清浄効果を確保しながらマイナスイオン６６を多く発生させ、マイナスイオン６６の発生量を安定させることが好ましい。そして、上記に述べた範囲に設定することにより、気流の圧損にならず、清浄効果を確保しながらマイナスイオン６６を多く発生させ、マイナスイオン６６の発生量を安定させることが出来る。
【００４１】
そして、モータ２８、ファン２９から成る電動送風機からの気流が最も多く衝突するトング部６３に沿ってマイナスイオン発生部ユニット４６の気流取入れ口６０が設けられているため、気流がトング形状に沿ってスムーズに気流取入れ口４６に流れ込むことが出来、多数のマイナスイオン６６の発生と放出を行うことが出来る。
【００４２】
また、光電子放出材４７に紫外線を照射する照射源４８として紫外線ランプ５０を用い、ランプ部５１と口金部５３とから成る上記紫外線ランプ５０の口金部５３をマイナスイオン発生部４９の気流取入れ口６０側になるように配置しているため、ランプ部５１から光電子放出材４７に向けて紫外線が照射されることにより気流中にマイナスイオン６６が生成されるが、口金部５３がその後流に位置していた場合、口金部５３で幾らかのマイナスイオン６６が減少することとなるが、紫外線ランプ５０の口金部５３をマイナスイオン発生部４９の気流取入れ口６０側に配置させることにより、マイナスイオン６６の減少を防止し、多数のマイナスイオン６６の発生と放出を行うことが出来るものである。
【００４３】
図１３は、光電子放出材４７に紫外線を照射する照射源４８として紫外線ランプ５０を用い、ランプ部５１と口金部５３とから成る上記紫外線ランプ５０のランプ部５１をマイナスイオン発生部４９の気流取入れ口６０側に配置したものであるがこの場合、照射源４８である紫外線ランプ５０のランプ部５１は、紫外線を照射する際発熱するため、冷却する必要があるが、紫外線ランプ５０のランプ部５１をマイナスイオン発生部４９の気流取入れ口６０側に配置させることにより、発熱部であるランプ部５１に先ず排気の気流が当り、紫外線ランプ５０の冷却を効果的に行うことが出来る。
【００４４】
図１４は、マイナスイオン発生部４９の下流側でマイナスイオン放出口４１の上流に活性炭６７を配設したものである。
【００４５】
そして、上記示すような構成によれば、光電子放出材４７に照射源４８からの紫外線を照射することにより気流中にマイナスイオン６６が生成されるが、この時万が一微量のオゾンが発生したとしても、このオゾン臭を下流側の活性炭６７によって完全に取除き、脱臭することが出来る。
【００４６】
またここで、マイナスイオン発生部ユニット４６は、本体隔壁２１の取付け面よりリブ体６２にて壁面より浮かして取付けられ、また本体隔壁２１の壁面に対し傾斜（約２５°）して配設されているため、マイナスイオン発生部４９は気流及び排気口３３に対し傾斜して配設されたことと成る為、照射源４８から照射される紫外線が排気口３３から本体の外部に漏れるのを防止することができる。つまり、もしマイナスイオン発生部４９が気流及び排気口３３に対し傾斜して配設されていなかった場合、照射源４８から照射された紫外線は円筒状の光電子放出材４７内を通過し、本体の外部へ照射されることとなる。
【００４７】
また、マイナスイオン発生部ユニット４６を本体の取付け面よりリブ体６２にて浮かして取付けているため、マイナスイオン放出口４１や排気口３３から誤って水が入ってきた場合でも侵入してきた水は、リブ体６２で浮かした隙間に流入し、マイナスイオン発生部４９内に水が侵入するのを防止している。また照射源４８である紫外線ランプ５０は、紫外線を照射する際、発熱するが、マイナスイオン発生部４９内での照射源４８の発熱が本体隔壁２１の取付け面に伝搬するのをリブ体６２で浮かした隙間によって防止している。このリブ体６２で浮かした隙間には微量ではあるが、気流の一部が通過している。
【００４８】
保護カバー上５９は、保護カバー下５７を上方から覆うように取り付け、内部のマイナスイオン発生部４９の周囲を保護しており、紫外線ランプ５０から照射される紫外線が外部に漏れないようにしすると共に気流が通る通路を形成しており、マイナスイオン発生部４９への気流のガイドとなる気流取入れ口６０やマイナスイオン放出口４１までの流路を形成している。そして、上記構成により、照射源４８から照射される紫外線が本体外部に漏れるのを防止すると共に、マイナスイオン発生部４９への気流のガイドとなる気流取入れ口６０やマイナスイオン放出口４１までの流路を形成させている。
【００４９】
上記保護カバー上５９、保護カバー下５７の材質は、亜鉛メッキ鋼鈑、カラー鋼鈑等の金属から成り、照射源４８から照射される紫外線に対する材料の劣化を防止している。ここでは、亜鉛メッキ鋼鈑、カラー鋼鈑等のメッキ鋼鈑や塗装鋼鈑をあげているが、他の物でもよく要は照射源４８から照射される紫外線に対し劣化し難い材料であればよい。排気口３３から覗かれる場合を考慮すれば、本体色に近い色のカラー鋼鈑を用いれば保護色となり外観的に不具合で無くなる。
【００５０】
また、上記保護カバー上５９、保護カバー下５７の材質を合成樹脂に紫外線吸収剤を添加した材料にて形成したものでもよく、その場合、照射源４８から照射される紫外線に対する材料の劣化を紫外線吸収剤を添加することにより防止し、且つ合成樹脂によるため、保護カバー上５９、保護カバー下５７の加工が一般的には金型による樹脂成形加工となり、加工、成形を容易にすると共に安価に提供することが出来るものである。合成樹脂の材料としては、ポリカーボネートやアクリル等が適している。
【００５１】
また、光電子放出材４７は、円筒状の金属の材料、ここではりん青銅から成り、前記円筒状の内面を含む全体にＡｕ（金）の層を有する表面処理が施されている。また光電子放出材４７には、端子接続部５４が一体に形成されており、制御回路４０へ導通した端子５５が接続されている。
【００５２】
そして、上記によれば、照射源４８である紫外線ランプ５０の周囲を円筒状に均一な距離で包み込み、その紫外線ランプ５０表面から均一な距離だけ離れた内面にＡｕの層を有する表面処理を施した円筒状の光電子放出材４７に均一な照射強度の紫外線が照射されることにより、マイナスイオン６６の発生量が安定して多数得られる。
【００５３】
また、光電子放出材４７にりん青銅を用いているが、りん青銅は導電性に優れ、且つメッキ、蒸着等のＡｕの層を有する表面処理を施しやすい特徴を持つ。マイナスイオン６６の発生量を安定して多数得るためには、制御回路４０へ導通した光電子放出材４７が導電性に優れ常に光電子を放出し続けることが最も重要となる。そのため、光電子放出材４７には、導電性に優れた黄銅、青銅、りん青銅等の材質が適しており、またこれらの材料はメッキ、蒸着時の密着性にも優れ、Ａｕの層を有する表面処理を容易に施すことが出来る。
【００５４】
また光電子放出材４７は、円筒状に曲げ加工を行う前の板材にメッキ、または蒸着等の表面処理を施しているため、円筒状に曲げ加工を行う前の板材、つまりシート状であるため、メッキ、蒸着等の表面処理加工が容易に行え、且つその作業性も良く楽に行えるものである。
【００５５】
またもちろん、円筒状に曲げ加工した後にメッキ、または蒸着の表面処理を施してもよく、その場合は、円筒状に曲げ加工した後にメッキ、または蒸着の表面処理を施すため、曲げ加工時に多く発生するの金型、治工具によって表面処理を施した光電子放出材４７表面が傷付けられる恐れが無く、曲げ加工時の傷付きを防止することが出来る。
【００５６】
また光電子放出材４７には、端子接続部５４が一体に形成されており、制御回路４０へ導通した端子５５が接続されているため、別部品として端子接続部を設ける必要がなく、安価に形成することが出来る。
【００５７】
そして前記制御回路４０への接続は、マイナスイオン発生部４９が制御回路４０と排気口３３の間に配置してあるため、マイナスイオン発生部４９から制御回路４０までの配線を短くすることが出来、配線作業を容易に行えるようにすることができ且つ、気流に乗せてマイナスイオン６６を部屋全体に拡散、放出することが出来る。
【００５８】
また紫外線を照射する照射源４８は、制御回路４０に接続されており照射源４８の照射をＯＮ−ＯＦＦ間欠さたり、照射源４８の紫外線照射強度を可変したり、あるいは上記照射源４８のＯＮ−ＯＦＦ間欠や紫外線照射強度の可変をマイナスイオン吹出口４１部に設けられたイオン検知センサ６８の検知した値に応動して行わせる等の制御が行われているが、まず照射源４８の照射をＯＮ−ＯＦＦ間欠とした場合は、照射源４８である紫外線ランプ５０をＯＮ−ＯＦＦ間欠点灯させることにより、照射源４８である紫外線ランプ５０トータルとしての寿命を伸ばすことが出来、またマイナスイオン６６の出し過ぎを調整、制御することが出来、自然界に近いマイナスイオンの発生とすることができる。
【００５９】
図１５は、照射源４８である紫外線ランプ５０を複数設け、この複数の紫外線ランプ５０から交互に紫外線を照射したものであり、複数の紫外線ランプ５０を交互に点灯させることにより、同様にして照射源４８である紫外線ランプ５０トータルとしての寿命を伸ばすことが出来る。
【００６０】
次に、照射源４８の紫外線照射強度を可変した場合は、紫外線の照射強度が高くなればマイナスイオン６６の発生量は増加し、照射強度が低くなればマイナスイオン６６の発生量は低下することから照射源４８である紫外線ランプ５０の紫外線照射強度を可変することによりマイナスイオン６６の発生量を制御することができ、そして温度、湿度等の使用環境や臭い検知センサ３８、粒子検知センサ３９の各センサの検知した室内空気の汚染度合い等の使用状態に応じて照射源４８の紫外線照射強度を可変することにより、マイナスイオン６６の発生量を可変制御することが出来、自然界に近いマイナスイオン６６の発生とすることができる。
【００６１】
またその際、発生しているマイナスイオン６６の量をイオン検知センサ６８にて検知し、その値に応動させてマイナスイオン６６の発生量を制御することにより、使用環境、使用状態によって変化するマイナスイオン６６の発生量をより細かく制御することが出来、あるいはマイナスイオン６６の発生量を使用環境、使用状態に関係無く一定に保つこともできる。
【００６２】
また本体後方に向けて開口する後面吸気口２６を形成したことにより、前面吸気２５に加え、本体後方からも吸気することで、立体的な吸気でき、排気口３３からの気流と合わせた吸気流により、室内空間の空気循環を立体的にし、マイナスイオン６６を室内へ立体的に拡散、放出することができる。さらに、本体前面の凹状中央部２０ａに前面吸気口２５を設け、同前面吸気口２５の開口を本体の中心より左右両側に向けてくい切りの開口部２５ａを形成しているため、本体前面の凹状中央部２０ａの前面吸気口２５に本体の左右両側より気流が流入し、立体的な吸気ができ、室内空間の空気循環を立体的にし、マイナスイオン６６の室内への拡散、放出も立体的に行える。
【００６３】
そして、マイナスイオン発生部４９で多数発生したマイナスイオン６６は、本体壁面や構造物に衝突して減少する傾向にあるが、マイナスイオン発生部４９をフィルター３２やモータ２８、ファン２９から成る電動送風機の無い送風機の下流側で排気口３３に近い吹出し風側に配置しているため、マイナスイオン６６の減少を最大限に抑えることが出来、マイナスイオン吹出口４１からより多くの数のマイナスイオン６６を放出することが出来ている。
【００６４】
（参考例１）
図１６は本発明の参考例１の空気調和機を示す側断面図である。
【００６５】
本参考例１において、実施例１と異なる点はマイナスイオン発生部４９をフィルター３２の上流側で前面吸気口２５側に配設したものである。
【００６６】
なお、実施例１と同一符号のものは同一構造を有し、説明は省略する。
【００６７】
マイナスイオン発生部４９をフィルター３２の上流側で前面吸気口２５側に配設したことにより、前面吸気口２５や後面吸気口２６から吸い込まれた汚れた空気の粒子は、マイナスイオン発生部４９で発生したマイナスイオン６６により帯電させられるため、下流側のフィルター３２での集塵性能が向上する。    （参考例２）
図１７は本発明の参考例２の空気調和機を示す側断面図である。
【００６８】
本参考例２において、他の実施例または参考例と異なる点は、マイナスイオン発生部４９をモータ２８、ファン２９から成る電動送風機の上流側である吸引風側で、フィルター３２と電動送風機の間に配置したものである。
【００６９】
なお、他の実施例または参考例と同一符号のものは同一構造を有し、説明は省略する。
【００７０】
次に動作、作用を説明すると、前面吸気口２５や後面吸気口２６から吸い込まれた汚れた空気はフィルター３２で浄化、脱臭されているため、フィルター３２の後流に有るマイナスイオン発生部４９の光電子放出材４７や紫外線を照射する照射源４８にはフィルター３２で浄化、脱臭された空気が当たり、汚れることは無い。また照射源４８である紫外線ランプ５０は、紫外線を照射する際発熱するため、冷却する必要があるが、モータ２８、ファン２９から成る電動送風機のモータ２８によって暖められる前の気流を紫外線ランプ５０に当てるため、紫外線ランプ５０の冷却は効果的に行なわれる。
【００７１】
（参考例３）
図１８は本発明の参考例３の空気調和機を示すマイナスイオン発生部ユニット部の側断面図である。
【００７２】
本参考例３において、他の実施例または参考例と異なる点は、マイナスイオン発生部４９に設けた専用モータ１００、専用ファン１０１はから成る専用のマイナスイオン発生部用送風機１０２にて発生した気流をマイナスイオン発生部４９内に通したものである。
【００７３】
なお、他の実施例または参考例と同一符号のものは同一構造を有し、説明は省略する。
【００７４】
次に動作、作用を説明すると、専用モータ１００が回転すると、専用ファン１０１によって連通口１０３から外気が吸引され本体の気流と混合してマイナスイオン発生部４９内に流入する。マイナスイオン発生部用送風機１０２にて発生した外気が混合した気流をマイナスイオン発生部４９内に通すため、本体の気流の圧損は極端に軽減され、清浄効果を確保しながらマイナスイオン６６を多く発生させることが出来、また空気調和機本体の強、弱等の運転風量に関係なく、一定風量でマイナスイオン６６を放出することが出来る。
【００７５】
また、マイナスイオン発生部４９内の直前に外気を導入したことにより、照射源４８である紫外線ランプ５０は、紫外線を照射する際発熱するため、冷却する必要があるが、電動送風機のモータ２８によって暖められていない外部の気流を紫外線ランプ５０に当てることが出来るため、紫外線ランプ５０の冷却を効果的に行うことが出来る。
【００７６】
またマイナスイオン発生部用送風機１０２によってマイナスイオン発生部内の直前に外気を導入したことにより、電動送風機のモータ２８によって暖められていない外部の気流を空気調和機本体の強、弱等の運転風量に関係なく、一定風量で紫外線ランプ５０に当てることが出来るため、紫外線ランプ５０の冷却をさらに効果的に行うことが出来る。
【００７７】
（参考例４）
図１９は本発明の参考例４の空気調和機を示す側断面図である。
【００７８】
本参考例４において、他の実施例または参考例と異なる点は、マイナスイオン発生部４９に設けた専用ファン２０１を電動送風機のモータ２００で回転させて成る専用のマイナスイオン発生部用送風機２０２にて発生した気流をマイナスイオン発生部４９内に通したものである。
【００７９】
なお、他の実施例または参考例と同一符号のものは同一構造を有し、説明は省略する。
【００８０】
次に動作、作用を説明すると、電動送風機のモータ２００が回転すると、専用ファン２０１によって連通口２０３から外気が吸引され本体の気流と混合してマイナスイオン発生部４９内に流入する。マイナスイオン発生部用送風機２０２にて発生した外気が混合した気流をマイナスイオン発生部４９内に通すため、本体の気流の圧損は極端に軽減され、清浄効果を確保しながらマイナスイオン６６を多く発生させることが出来、また別に専用のモータを必要とせず安価に提供出来る。また、マイナスイオン発生部４９内の直前に外気を導入したことにより、照射源４８である紫外線ランプ５０は、紫外線を照射する際発熱するため、冷却する必要があるが、電動送風機のモータ２００によって暖められていない外部の気流を紫外線ランプ５０に当てることが出来るため、紫外線ランプ５０の冷却を効果的に行うことが出来る。
【００８１】
（参考例５）
図２０は本発明の参考例５の空気調和機を示すマイナスイオン発生部ユニット部の側断面図である。
【００８２】
本参考例５において、他の実施例および参考例と異なる点は、マイナスイオン発生部４９に設けた専用ファン３０１を気流によって回転する風車３００で回転させて成る専用のマイナスイオン発生部用送風機３０２にて発生した気流をマイナスイオン発生部４９内に通したものである。
【００８３】
なお、他の実施例および参考例と同一符号のものは同一構造を有し、説明は省略する。
【００８４】
次に動作、作用を説明すると、本体の気流によって風車３００が回転すると、専用ファン３０１によって連通口３０３から外気が吸引され本体の気流と混合してマイナスイオン発生部４９内に流入する。マイナスイオン発生部用送風機３０２にて発生した外気が混合した気流をマイナスイオン発生部４９内に通すため、本体の気流の圧損は極端に軽減され、清浄効果を確保しながらマイナスイオン６６を多く発生させることが出来、また別に専用のモータを必要とせず安価に提供出来る。
【００８５】
（参考例６）
図２１は本発明の参考例６の空気調和機を示すマイナスイオン発生部ユニット部の側断面図である。
【００８６】
本参考例６において、実施例および参考例と異なる点は、マイナスイオン発生部４９内の直前にサイホン４００を構成して外気を導入したものである。
【００８７】
なお、他の実施例および参考例と同一符号のものは同一構造を有し、説明は省略する。
【００８８】
次に動作、作用を説明すると、サイホン４００によって連通口４０１から外気が吸引され本体の気流と混合してマイナスイオン発生部４９内に流入することにより、別に専用のモータを必要とせず安価に提供出来、マイナスイオン発生部４９内の直前に外気を導入したことにより、照射源４８である紫外線ランプ５０は、紫外線を照射する際発熱するため、冷却する必要があるが、電動送風機のモータ２８によって暖められていない外部の気流を紫外線ランプ５０に当てることが出来るため、紫外線ランプ５０の冷却を効果的に行うことが出来る。
【００８９】
（参考例７）
図２２は本発明の参考例７の光電子放出材を示す斜視図である。
【００９０】
本参考例７において、他の実施例および参考例と異なる点は、光電子放出材の形状を多角形筒の光電子放出材５００とし、照射源４８と光電子放出材５００の距離を可変して、マイナスイオン６６の発生量を制御したものである。
【００９１】
なお、他の実施例および参考例と同一符号のものは同一構造を有し、説明は省略する。
【００９２】
上記発明によれば、照射源である紫外線ランプの周囲を包み込む多角形筒の内面にＡｕの層を有する表面処理を施した施したものであり、光電子放出材に均一な照射強度の紫外線が照射されることにより、安定して多数のマイナスイオンを発生させることが出来る。
【００９３】
また、照射源４８と光電子放出材５００の距離を可変したことにより、照射源４８と光電子放出材５００の距離が近くなればマイナスイオンの発生量は増加し、照射源４８と光電子放出材５００の距離が遠くなればマイナスイオンの発生量は低下することから照射源４８と光電子放出材５００の距離を可変することによりマイナスイオン６６の発生量を制御することができ、そして温度、湿度等の使用環境や臭い検知センサ３８、粒子検知センサ３９の各センサの検知した室内空気の汚染度合い等の使用状態に応じて照射源４８と光電子放出材５００の距離を可変することにより、マイナスイオン６６の発生量を可変制御することが出来、自然界に近いマイナスイオン６６の発生とすることができる。
【００９４】
図２３は、光電子放出材の他の形状を示したもので、メッシュ状筒５００ａ、繊維状（金綿）筒５００ｂ、蛇腹状筒５００ｃ等の形状があり、これらは照射源である紫外線ランプ５０の周囲を包み込む内面にＡｕの層を有する表面処理を施したものであり、各々の形状の光電子放出材に均一な照射強度の紫外線が照射されることにより、安定して多数のマイナスイオン６６を発生させることが出来る。
【００９５】
【発明の効果】
本発明によれば、室内の汚れた空気、臭い空気を吸い込み、浄化、脱臭し、再度室内に循環させると共に、安全性および低コスト化を推進し、室内空間にオゾンレスの陰（マイナス）イオンを発生させることにより、生体の代謝機能や生理機能を衰えさせない空間を作り、また、陰（マイナス）イオンを発生させて微粒子等を電気的に中和もしくは負の電荷を帯びさせ安定な空間を提供することができる。
【図面の簡単な説明】
【図１】  本発明の実施例１における空気調和機の側断面図
【図２】  同空気調和機の側面図
【図３】  同空気調和機の部分断面を含む正面図
【図４】  同空気調和機の平面図
【図５】  同空気調和機の本体後を外した状態の裏面図
【図６】  同空気調和機の平面の断面図
【図７】  同空気調和機のマイナスイオン発生部ユニット部を示した図
【図８】  同空気調和機のマイナスイオン発生部ユニット部を示した図
【図９】  同空気調和機のフロントグリルを外した状態の正面図
【図１０】  同空気調和機のフロントグリルの爪部を示した断面図
【図１１】  同空気調和機の光電子放出材を示した斜視図
【図１２】  同空気調和機のマイナスイオン発生部ユニット部を示した断面図
【図１３】  同空気調和機のマイナスイオン発生部ユニット部を示した断面図
【図１４】  同空気調和機のマイナスイオン発生部ユニット部を示した断面図
【図１５】  同空気調和機のマイナスイオン発生部ユニット部を示した断面図
【図１６】  本発明の参考例１における空気調和機の断面図
【図１７】  本発明の参考例２における空気調和機の断面図
【図１８】  本発明の参考例３における空気調和機のマイナスイオン発生部ユニット部を示した断面図
【図１９】  本発明の参考例４における空気調和機のマイナスイオン発生部ユニット部を示した断面図
【図２０】  本発明の参考例５における空気調和機のマイナスイオン発生部ユニット部を示した断面図
【図２１】  本発明の参考例６における空気調和機のマイナスイオン発生部ユニット部を示した断面図
【図２２】  本発明の参考例７における空気調和機のマイナスイオン発生部ユニット部を示した断面図
【図２３】  本発明の他の光電子放出材の形状を示した斜視図
【図２４】  従来の空気調和機の本体斜視図
【図２５】  同空気調和機の側断面図
【図２６】  同空気調和機の断面図
【符号の説明】
２５  前面吸気口
２６  後面吸気口
２８  モータ
２９  ファン
３２  フィルター
３３  排気口
４０  制御回路
４６  マイナスイオン発生部ユニット
４７  光電子放出材
４８  照射源
４９  マイナスイオン発生部
５０  紫外線ランプ
５１  ランプ部
５２  ソケット
５３  口金部
６０  気流取入れ口
６３  トング部
６４  庇Ａ
６５  庇Ｂ
６７  活性炭
【図１】
0003948245.tif 000002
【図２】
0003948245.tif 000003
【図３】
0003948245.tif 000004
【図４】
0003948245.tif 000005
【図５】
0003948245.tif 000006
【図６】
0003948245.tif 000007
【図７】
0003948245.tif 000008
【図８】
0003948245.tif 000009
【図９】
0003948245.tif 000010
【図１０】
0003948245.tif 000011
【図１１】
0003948245.tif 000012
【図１２】
0003948245.tif 000013
【図１３】
0003948245.tif 000014
【図１４】
0003948245.tif 000015
【図１５】
0003948245.tif 000016
【図１６】
0003948245.tif 000017
【図１７】
0003948245.tif 000018
【図１８】
0003948245.tif 000019
【図１９】
0003948245.tif 000020
【図２０】
0003948245.tif 000021
【図２１】
0003948245.tif 000022
【図２２】
0003948245.tif 000023
【図２３】
0003948245.tif 000024
【図２４】
0003948245.tif 000025
【図２５】
0003948245.tif 000026
【図２６】
0003948245.tif 000027